(57)【要約】【課題】端子を確実に支持することができ、かつ、コネクタハウジングへの端子の挿入を容易にすることのできるコネクタを提供することを目的とする。【解決手段】略箱状のコネクタハウジングと、コネクタハウジング内に挿入される雌端子と、コネクタハウジングに支持されるバスバーと、からなるコネクタであって、コネクタハウジングには、端子が収容される端子収容室と、弾性を有する可撓性係止腕と、バスバーをコネクタハウジング内に案内する端子案内壁と、が形成され、可撓性係止腕は、一端側が固定された一側固定部と、他端側が固定された他側固定部と、一側固定部と他側固定部とを連結するアーム部と、が形成され、端子案内壁に連設して設けられる連結部が他側固定部と一体に形成され、一側固定部と他側固定部との距離を可撓性係止腕の弾性力が所望の弾性力となる距離に設定したことを特徴とする。【選択図】図２
2014063630.tif 000002
【特許請求の範囲】
【請求項１】
略箱状のコネクタハウジングと、前記コネクタハウジング内に挿入される雌端子と、前記コネクタハウジングに支持されるバスバーと、からなるコネクタであって、
前記コネクタハウジングには、端子が収容される端子収容室と、前記端子収容室内に設けられた弾性を有する可撓性係止腕と、前記バスバーをコネクタハウジング内に案内する端子案内壁と、が形成され、
前記可撓性係止腕は、一端側が固定された一側固定部と、他端側が固定された他側固定部と、前記一側固定部と前記他側固定部とを連結するアーム部と、が形成され、
前記端子案内壁に連設して設けられる連結部が前記他側固定部と一体に形成され、前記一側固定部と前記他側固定部との距離を前記可撓性係止腕の弾性力が所望の弾性力となる距離に設定したことを特徴とするコネクタ。
【請求項２】
請求項１記載のコネクタであって、
前記連結部に凹部を設けたことを特徴とするコネクタ。
【請求項３】
請求項１または２に記載のコネクタであって、
前記他側固定部によって雌端子の動きを規制していることを特徴とするコネクタ。
【発明の詳細な説明】
【技術分野】
【０００１】
本発明は、コネクタに関し、特に端子金具と係合する可撓性係止腕が両持ちのアーム部を有するコネクタに関するものである。
【背景技術】
【０００２】
コネクタには、端子金具を収容する端子収容室と、端子収容室の内側面に設けられるとともに挿入された端子金具に対して弾性的に係止可能なランス（可撓性係止腕）とが設けられ、このランスが、両端部が支持された両持ち状に形成されているとともに外部から解除治具にて操作可能な操作凹部を備えたものが特許文献１又は特許文献２で提案されている。
【先行技術文献】
【特許文献】
【０００３】
【特許文献１】特許第３８０４４８９号
【特許文献２】特開２００５−１５８４１８号
【発明の概要】
【発明が解決しようとする課題】
【０００４】
しかしながら、上記特許文献１，２で開示されたコネクタではコネクタハウジングに端子を挿入する際、ランスの反力が高く、コネクタハウジングへの端子の強い挿入力が必要となっていた。そこで、端子を挿入する際のランスの反力を低くするために、雄端子を支持する前壁を薄くすることが考えられる。しかしながら、雄端子を支持する前壁を薄くすると雄端子を確実に支持することができずに、接触不良等を招く虞があった。
【０００５】
そこで、本発明は、端子を確実に支持することができ、かつ、コネクタハウジングへの端子の挿入を容易にすることのできるコネクタを提供することを目的としている。
【課題を解決するための手段】
【０００６】
そこで、本発明は上記の課題を解決するために、請求項１記載の発明では、略箱状のコネクタハウジング２と、前記コネクタハウジング２内に挿入される雌端子３と、前記コネクタハウジング２に支持されるバスバー４と、からなるコネクタ１であって、前記コネクタハウジング２には、端子が収容される端子収容室５と、弾性を有する可撓性係止腕７と、前記バスバー４をコネクタハウジング２内に案内する端子案内壁９と、が形成され、前記可撓性係止腕７は、一端側が固定された一側固定部１７と、他端側が固定された他側固定部１９と、前記一側固定部１７と前記他側固定部１９とを連結するアーム部２１と、が形成され、前記端子案内壁９に連設して設けられる連結部２５が前記他側固定部１９と一体に形成され、前記一側固定部１７と前記他側固定部１９との距離を前記可撓性係止腕の弾性力が所望の弾性力となる距離に設定したことを特徴とする。
【０００７】
また、請求項２の発明では、請求項１記載のコネクタ１であって、前記連結部２５に凹部２９を設けたことを特徴とする。
【０００８】
さらに、請求項３の発明では、請求項１または２に記載のコネクタ１であって、前記他側固定部１９によって雌端子３の動きを規制していることを特徴とする。
【発明の効果】
【０００９】
請求項１記載の発明によれば、端子案内壁９に連設して設けられる連結部２５が他側固定部１９と一体に形成され、一側固定部１７と他側固定部１９との距離を可撓性係止腕の弾性力が所望の弾性力となる距離に設定したことにより、端子を確実に支持したうえで、アーム部２１を撓み易くすることができ、コネクタハウジング２への端子の挿入を容易にすることができる。
【００１０】
請求項２記載の発明によれば、連結部２５に凹部２９を設けたことにより、一側固定部１７と他側固定部１９との距離をより長く確保することができるため、より容易にコネクタハウジング２に端子を挿入することができる。
【００１１】
請求項３記載の発明によれば、他側固定部１９の一面側に雌端子３が当接するため、雌端子３の動きを規制することができ、コネクタ１の振動による雌端子３の破損、摩耗を防止することができる。
【図面の簡単な説明】
【００１２】
【図１】本発明のコネクタの概略全体断面図。
【図２】図１に示す要部Ａの拡大断面図。
【図３】本発明のコネクタの概略全体断面斜視図。
【発明を実施するための形態】
【００１３】
以下、本発明の実施の形態について、図１〜３を用いて詳細に説明する。
【００１４】
図１〜３に示すように、本発明のコネクタ１は、略箱状のコネクタハウジング２と、コネクタハウジング２内に挿入される雌端子３と、コネクタハウジング２に支持されるバスバー４と、から構成されている。
【００１５】
略箱状のコネクタハウジング２は、後述する雌端子３が収容される端子収容室５と、端子の挿入方向に直交する方向に撓み可能な可撓性係止腕７と、バスバー４を支持する端子案内壁９と、から構成されている。
【００１６】
コネクタハウジング２内に形成される端子収容室５は、後述する雌端子３が収容されるスペースを有して形成されている。
【００１７】
弾性を有してコネクタハウジング２の一辺から突出するように形成される可撓性係止腕７は、一端側がコネクタハウジング２の一辺に固定される一側固定部１７と、後述する端子案内壁９に連設される他側固定部１９と、一側固定部１７と他側固定部１９とを連結するアーム部２１と、から構成されている。
【００１８】
一側固定部１７と他側固定部１９とを連結するアーム部２１は、アーム部２１の厚さが厚い厚肉部２２と、厚肉部２２の厚さと比べて薄い薄肉部２４と、厚肉部２２と薄肉部２４との間に形成される係止段部２６と、から構成されている。この係止段部２６は、後述する雌端子３を係止するための傾斜面が設けられている。
【００１９】
他側固定部１９の近傍に形成されてバスバー４を支持する端子案内壁９は、バスバー４を狭持して支持する案内部２３と、案内部２３に連設して設けられる連結部２５と、から構成されている。また、連結部２５は、上述した他側固定部１９と一体に形成されるとともに、雌端子３挿入方向に凹設して設けられる凹部２９が形成されている。
【００２０】
上記の構成を有するコネクタハウジング２の端子収容室５に挿入される雌端子３は、バスバー４に電気的に接続される本体部１０と、電線Ｗを把持する把持部１２と、から構成されている。電線Ｗは、内部に芯線１４を備えて形成されている。
【００２１】
端子収容室５の内壁に摺接して挿入される本体部１０は、端子収容室５の内壁に挿入される受壁１１と、受壁１１から内方に折り返されて形成される弾性片１３と、受壁１１から外方に折り返されて形成される折返し部１６と、から構成されている。また、折返し部１６の先端部３１は、アーム部２１に形成される係止段部２６に係止される。
【００２２】
雄端子部１５としてのバスバー４は、雌端子３が挿入される方向と反対側からコネクタハウジング２に挿入されて端子収容室５に突出するように支持されている。
【００２３】
次に、コネクタハウジング２への雌端子３の取付方法について説明する。
【００２４】
まず、コネクタハウジング２の一方側から端子案内壁９内にバスバー４を圧入し、端子案内壁９によって、バスバー４を支持する。このとき、バスバー４は端子収容室５に突出する位置まで圧入される。
【００２５】
次に、コネクタハウジング２の他方側の開口から端子収容室５へ雌端子３を挿入する。この際、本体部１０の受壁１１が端子収容室５の内壁に摺接するとともに、雌端子３の折返し部１６の先端部３１が、アーム部２１の形状に沿って摺接しながら端子収容室５内に挿入されることにより、折返し部１６がアーム部２１を挿入方向と直交する方向に押圧し、アーム部２１を撓ませる。なお、アーム部２１が撓んだ際に、雌端子３が他側固定部１９の一面側１９ａに当接し、雌端子３の動きを規制している。
【００２６】
そして、折返し部１６の先端部３１が、コネクタハウジング２の他方側から挿入されてアーム部２１の厚肉部２２を越えて係止段部２６を越えると、アーム部２１が弾性復帰するとともに、折返し部１６の先端部３１が係止段部２６に係止されてコネクタハウジング２への雌端子３の取り付けが完了する。
【００２７】
上記のような構成とすることにより、端子案内壁９に連設して設けられる連結部２５が他側固定部１９と一体に形成され、一側固定部１７と他側固定部１９との距離を可撓性係止腕７の弾性力が所望の弾性力となる距離Ｄ２に設定したことにより、端子を確実に支持したうえで、アーム部２１を撓み易くすることができ、コネクタハウジング２への端子の挿入を容易にすることができる。
【００２８】
また、連結部２５に凹部２９を設けたことにより、一側固定部１７と他側固定部１９との距離をより長く確保することができるため、より容易にコネクタハウジング２に端子を挿入することができる。
【００２９】
すなわち、図２に示すように、連結部２５に凹部２９を設けたことにより、アーム部２１全体の長さを一側固定部１７から連結部端面２５ａとの距離Ｄ１から、一側固定部１７から連結部２５に形成された凹部２９の底壁２９ａまでの距離を距離Ｄ２にすることができ、連結部端面２５ａから凹部２９の底壁２９ａまでの距離を距離Ｅ分だけ伸ばすことができる。
【００３０】
さらに、凹部２９の形成されていない連結部端面２５ａは、案内壁端面９ａと所謂面一に形成されているため、バスバー４を支持する端子案内壁９を出来るだけ長くすることができるとともに、凹部２９を形成しているためアーム部２１を撓みやすくすることができる。
【００３１】
加えて、雌端子３を端子収容室５内に挿入する際、アーム部２１が挿入方向と直交する方向に撓むが、他側固定部１９の一面側１９ａに雌端子３が当接するため、雌端子３の動きを規制することができ、コネクタ１の振動による雌端子３の破損、摩耗を防止することができる。
【産業上の利用可能性】
【００３２】
本発明は、コネクタに利用することができる。
【符号の説明】
【００３３】
１  コネクタ
２  コネクタハウジング
３  雌端子
４  バスバー
５  端子収容室
７  可撓性係止腕
９  端子案内壁
１７  一側固定部
１９  他側固定部
２１  アーム部
２５  連結部
【図１】
2014063630.tif 000003
【図２】
2014063630.tif 000004
【図３】
2014063630.tif 000005